(57)【要約】【課題】安定して体を支えることができるとともに、コンパクトに折り畳むことができる浴室用折り畳み椅子を提供する。【解決手段】上端部に背もたれ５が取り付けられた前脚２と、前脚２に回動自在に軸支された後脚３と、後脚３に回動自在に軸支されるとともに、前脚２にリンク９を介して回動自在に連結された座部４と、からなり、座部４は、前脚２および後脚３の開脚時に水平状態に支持される一方、その閉脚時に略垂直状態に支持される浴室用折り畳み椅子１において、前脚２および後脚３の軸支部に肘掛け６を回動自在に軸支する。【選択図】図１
2004261328.tif 000002
【特許請求の範囲】
【請求項１】
上端部に背もたれが取り付けられた前脚と、前脚に回動自在に軸支された後脚と、後脚に回動自在に軸支されるとともに、前脚にリンクを介して回動自在に連結された座部と、からなり、座部は、前脚および後脚の開脚時に水平状態に支持される一方、その閉脚時に略垂直状態に支持される浴室用折り畳み椅子において、
前脚および後脚の軸支部に肘掛けが回動自在に軸支されていることを特徴とする浴室用折り畳み椅子。
【請求項２】
前記肘掛けが、略水平な作業位置と略垂直な格納位置との間で回動自在であることを特徴とする請求項１記載の浴室用折り畳み椅子。
【請求項３】
前記座部が、座本体および座本体に着脱自在に設けられたクッション部から形成され、クッション部が座本体の全面を覆うことを特徴とする請求項１または２記載の浴室用折り畳み椅子。
【請求項４】
前記背もたれが背もたれ本体および背もたれ本体に着脱自在に設けられたクッション部から形成され、クッション部が背もたれ本体の全面を覆うことを特徴とする請求項１乃至３のいずれか記載の浴室用折り畳み椅子。
【発明の詳細な説明】
【０００１】
【発明の属する技術分野】
本発明は、浴室用折り畳み椅子に関する。
【０００２】
【従来の技術】
病人、老人、身体障害者などは、入浴時に椅子に腰掛けて体を洗うのが好都合である。しかし、通常、浴室は狭いため、不使用時には折り畳んでコンンパクトにすることができる浴室用椅子が好ましい。このような観点から、折り畳み可能な浴室用椅子が、従来から提案されている。
【０００３】
例えば、特許文献１には、不使用時には、座部の下側に脚部を折り畳んで収容することができる浴室用折り畳み椅子が記載されている。しかしながら、この浴室用折り畳み椅子には、肘掛けが備えられていないので、使用者は、体を安定させて座るのが困難であり、また、立ち座り時につかまって体を支えるところがないので、安心して使用することができない。
【０００４】
一方、特許文献２には、このような不都合を解消することができる、肘掛け（アームレスト）が備えられたシャワー用折り畳み椅子が記載されている。
【０００５】
【特許文献１】
実用新案登録第３０４０９４９号公報
【特許文献２】
特開２００２−１９１５２３号公報
【０００６】
【発明が解決しようとする課題】
しかしながら、特許文献２記載の折り畳み椅子に取り付けられた肘掛けは、前脚と背もたれとを連結するように一体的に屈曲して形成されたものであって、使用者が座ったときに肘を載せるには短すぎるので、安定して体を支えることができない。また、使用者は、肘掛けの上に手の平を載せることはできるが、指で肘掛けを握ることができないので、立ち座り時に肘掛けで体を支えることは困難である。特に、浴室においては、肘掛けに石鹸が付着していたり濡れていることが多く、ときにはバランスを崩して転倒するなどの危険もある。
【０００７】
本発明は、このような事情に鑑み創作されたものであって、安定して体を支えることができるとともに、コンパクトに折り畳むことができる浴室用折り畳み椅子を提供するものである。
【０００８】
【課題を解決するための手段】
上記の目的を達成するため、本発明は、上端部に背もたれが取り付けられた前脚と、前脚に回動自在に軸支された後脚と、後脚に回動自在に軸支されるとともに、前脚にリンクを介して回動自在に連結された座部と、からなり、座部は、前脚および後脚の開脚時に水平状態に支持される一方、その閉脚時に略垂直状態に支持される浴室用折り畳み椅子において、前脚および後脚の軸支部に肘掛けが回動自在に軸支されていることを特徴とする。
【０００９】
この発明によれば、肘掛けが、別個独立に形成されているので、肘掛けの形態の自由度が高い。したがって、使用者の肘を載せるのに十分で、かつ、立ち座り時に指で握ることができる大きさ、形状に形成することができ、安定して使用者の体を支えることができる。また、不使用時には、肘掛けを、閉脚された前脚や後脚の前後から突出しないように、軸支部を中心に回動させることができる。この際、肘掛けが前脚と後脚の軸支部に軸支されているため、軸支部を共通にすることができる。
【００１０】
本発明は、前記肘掛けが、略水平な作業位置と略垂直な格納位置との間で回動自在であることを特徴とする。
【００１１】
この発明によれば、前脚および後脚の開脚時には、肘掛けを作業位置まで回動させて使用者の体を支えることができるとともに、その閉脚時には、肘掛けを格納位置まで回動させて、前後方向に突出しないように折り畳むことができる。したがって、狭いスペースであっても、浴室用折り畳み椅子を収納することができる。
【００１２】
本発明は、前記座部が、座本体および座本体に着脱自在に設けられたクッション部から形成され、クッション部が座本体の全面を覆うことを特徴とする。
【００１３】
この発明によれば、使用者が浴室用折り畳み椅子に座ったときに、使用者の臀部はクッション部のみに接触するので、座り心地が良い。
【００１４】
本発明は、前記背もたれが、背もたれ本体および背もたれ本体に着脱自在に設けられたクッション部から形成され、クッション部が背もたれ本体の全面を覆うことを特徴とする。
【００１５】
この発明によれば、使用者が浴室用折り畳み椅子に座ったときに、使用者の背中はクッション部のみに接触するので、座り心地が良い。
【００１６】
【発明の実施の形態】
以下、本発明の浴室用折り畳み椅子１の実施の形態について、図面を参照しながら説明する。
【００１７】
図１乃至図３には、本発明の浴室用折り畳み椅子１の一実施形態が示されている。
【００１８】
この浴室用折り畳み椅子１は、前脚２と、前脚２に回動自在に軸支された後脚３と、前脚２および後脚３にわたって設けられた座部４と、前脚２の上端部に取り付けられた背もたれ５と、前脚２に対する後脚３の軸支部に共通して回動自在に軸支された肘掛け６と、から構成されている。
【００１９】
前脚２は、上方より見て中間位置で略コ字状に屈曲された前脚本体２１と、前脚本体２１の各端部にそれぞれ摺動自在に嵌挿された一対の前伸縮脚２２と、からなり、金属製パイプ、例えば、防錆性や軽量性が優れたアルミニウムパイプで形成されている。そして、前脚２の前脚本体２１は、側方より見て略く字状に屈曲されており、この屈曲部に、ヒンジピン７が挿通可能な貫通穴２３ａを形成したアルミ板製の固定板２３が一体に溶着されている。また、前脚本体２１の各端部近傍には、図示しないバネを介して外周面から突出するように位置決めピン２４が設けられている。
【００２０】
一方、前伸縮脚２２には、前脚本体２１に設けられた位置決めピン２４に対応して、設定間隔をおいて複数個の位置決め穴２２ａが形成されており、位置決め穴２２ａに位置決めピン２４を嵌合させることにより、前脚本体２１に対する伸縮脚２２の伸縮量を調節して固定することができる。また、前伸縮脚２２の上端には、キャップ２５がねじ込まれており、キャップ２５を締め付けることにより、脚本体２１の外周面と伸縮脚２２の内周面との隙間を狭めてがたつきを防止することができる。
【００２１】
なお、前脚本体２１の対向する下端部間には、補強杆２７が架設されている他、前伸縮脚２２の下端部には、脚ゴム２６が装着されており、洗い場面に傷をつけたり、滑ることが防止される。
【００２２】
後脚３は、一対の後脚本体３１と、各後脚本体３１の下端部に摺動自在に嵌挿された後伸縮脚３２と、からなり、前脚２と同様に、アルミニウムパイプで形成されている。そして、後脚本体３１の上端部には、図６に示すように、前述した前脚本体２１に設けた固定板２３を嵌合可能なスリット３１ａが形成されるとともに、固定板２３の貫通穴２３ａに対応する貫通穴３１ｂがスリット３１ａに直交するように形成されている。このため、後脚本体３１のスリット３１ａに前脚本体２１の固定板２３が嵌合された状態で、後脚本体３１の貫通穴３１ｂおよび固定板２３の貫通穴２３ａを通してヒンジピン７が挿通されることにより、前脚本体２１に対して後脚本体３１が回動自在に軸支される。さらに、後脚本体３１の上端部には、貫通穴３１ｂから離隔した位置において、後述する肘掛け６のガイド溝６３に嵌合可能なストッパピン３３が外周面から突出して設けられている。また、各後脚本体３１の下端部近傍には、前脚本体２１と同様に、図示しないバネを介して外周面から突出するように、位置決めピン３４が設けられている。
【００２３】
一方、後伸縮脚３２には、後脚本体３１に設けられた位置決めピン３４に対応して、設定間隔をおいて複数個の位置決め穴３２ａが形成されており、位置決め穴３２ａに位置決めピン３４を嵌合させることにより、後脚本体３１に対する後伸縮脚３２の伸縮量を調節して固定することができる。また、後伸縮脚３２の上端には、キャップ３５がねじ込まれており、キャップ３５を締め付けることにより、後脚本体３２の外周面と後伸縮脚３１の内周面との隙間を狭めてがたつきを防止することができる。
【００２４】
なお、後脚本体３１の対向する下端部間には、一対の後脚３，３が同調して作動するように補強杆３７が架設されている他、後伸縮脚３２の下端部には、脚ゴム３６が装着されており、洗い場面に傷をつけたり、滑ることが防止される。
【００２５】
また、前脚２および後脚３の材質としては、アルミ以外に、鉄あるいはステンレスであってもよい。
【００２６】
座部４は、図４に示すように、前端に凹状部を有する略方形中空状のプラスチック製座本体４１と、座本体４１に合致する形状に形成されて座本体４１の上面全体を覆う発泡プラスチック製のクッション部４２と、からなり、座本体４１には複数個の嵌合穴４３が形成され、一方、クッション部４２の裏面には、座本体４１の嵌合穴４３に嵌合する突出部４４が下方に向けて形成されている。したがって、座本体４１の嵌合穴４３にクッション部４２の突出部４４を嵌合させることにより、クッション部４２を座本体４１から簡単に取り外して洗浄したり、交換することができる。
【００２７】
また、座本体４１の後端部は、後脚本体３１の略中間部に固定された支持プレート８に連結ピン４５を介して回動自在に軸支されるとともに、その略中間部に連結ピン４６を介してリンク９の一端が回動自在に軸支されており、リンク９の他端は、連結ピン４７を介して前脚本体２１に回動自在に軸支されている。したがって、前脚本体２１に対して後脚３を互いに接近するように、ヒンジピン７回りに回動させた際、座部４は、リンク９によって押し上げられるとともに、支持プレート８の連結ピン４５回りに回動し、略垂直な格納姿勢に支持される。
【００２８】
なお、連結ピン４５，４７は、座部４に作用する荷重を支持するように、左右の支持プレート８および左右のリンク９にわたってそれぞれ架設されている。（図３参照）。
【００２９】
背もたれ５は、図５に示すように、指を挿入可能な把持穴５３が形成された略方形中空状のプラスチック製背もたれ本体５１と、背もたれ本体５１の把持穴５３に対応する把持穴５４が形成されるとともに、背もたれ本体５１に合致する形状に形成されて背もたれ本体５１の前面全体を覆う発泡プラスチック製のクッション部５２と、からなり、背もたれ本体５１には複数個の嵌合穴５５が形成され、一方、クッション部５２の裏面には、背もたれ本体５１の嵌合穴５５に嵌合可能な突出部５６が後方に向けて形成されている。したがって、背もたれ本体５１の嵌合穴５５にクッション部５２の突出部５６を嵌合させることにより、クッション部５２を背もたれ本体５１から簡単に取り外して洗浄したり、交換することができる。
なお、図示しないが、クッション部５２の突出部５６は、脱落しない程度に摩擦力を有する形状とされている。
【００３０】
また、背もたれ５は、前述した前脚本体２１の中間位置である上端部に取付部材５７を介してビス止めされている。
【００３１】
肘掛け６は、図６に示すように、熱可塑性プラスチックで形成された肘掛け本体６１と、肘掛け本体６１の上面に接合された把握部６２と、からなり、その略後半部に前脚２における前脚本体２１が挿通可能な切欠部６ａが形成されている。
【００３２】
肘掛け本体６１の基端部には、後脚本体３１の貫通穴３１ｂおよび固定板２３の貫通穴２３ａに対応する貫通穴６１ａが形成されており、後脚本体３１のスリット３１ａに前脚本体２１の固定板２３が嵌合された状態で、後脚本体３１の貫通穴３１ｂ、固定板２３の貫通穴２３ａ、および肘掛け本体６１の貫通穴６１ａを通してヒンジピン７が挿通されることにより、前脚本体２１および後脚本体３１に対して肘掛け６が回動自在に軸支される。
【００３３】
また、肘掛け本体６１の内面側には、後脚３に設けられたストッパピン３３に対応して、貫通穴６１ａを中心とした略９０度の円弧状のガイド溝６３が形成されている。そして、このガイド溝６３に、後脚３に設けられたストッパピン３３が嵌合することにより、肘掛け６の回動範囲が規制される。すなわち、ストッパピン３３が、ガイド溝６３の一端に位置するときに、肘掛け６が略水平な作業位置となり、ストッパピン３３が他端に位置するときは、肘掛け６が略垂直な格納位置になるように設定されている。また、ガイド溝６３には、図７に示すように、作業位置でストッパピン３３を保持する突起６３ａ、および格納位置でストッパピン３３を保持する突起６３ｂが設けられており、各位置において、肘掛け６が保持されるとともに、ストッパピン３３が突起６３ａ，６３ｂを強制的に乗り越えることにより、肘掛け６が回動して作業位置または格納位置へと変位することができるようになされている。
【００３４】
なお、肘掛け６に作用する荷重を支えるために、肘掛け本体６１の内面に沿って金属製の補強材６４が設けられている。この補強材６４には、肘掛け６が作業位置にあるとき、ストッパピン３３と係合する切欠部６４ａ（図６参照）が形成されており、肘掛け６に作用する荷重を補強材６４の切欠部６４ａにストッパピン３３が係合することにより支持することができる。
【００３５】
次に、上記構成の浴室用折り畳み椅子１の折り畳み方法を、図２および図８を参照しながら説明する。
【００３６】
浴室用折り畳み椅子１の作業位置では、前脚２に対して後脚３が互いに離間するように開脚され、座部４および肘掛け６は、略水平に支持されている（図２参照）。
【００３７】
この状態で使用者は、座部４上に座って体を洗うことができる。この際、肘掛け６が一定長さにわたって延長されていることにより、肘を安定して載せることができる。また、使用者の臀部および背中には、座本体４１および背もたれ本体５１の全面を覆って設けられたクッション部４２、５２が接触するので、冬場の冷たさを緩和することができるとともに座り心地が良い。
【００３８】
体洗いが終了すれば、肘掛け６に手を載せるとともに把握することにより、体を支持して立ち上がることができる。この際、石けんなどが付着したり、濡れていても、肘掛け６をしっかりと把握することができ、転倒などの事故を防止することができる。
【００３９】
使用が終了すれば、使用者は前脚２に対して後脚３を互いに接近させるようにヒンジピン７回りに回動させることにより、座部４がリンク９によって押し上げられるとともに、連結ピン４５回りに回動し、閉脚時には、略垂直状態に支持される。この際、肘掛け６の前部は、前脚２の外側に突出されている（図８（ａ）参照）。
【００４０】
次いで、肘掛け６を水平軸回りに回動させて、略垂直状態の格納位置に支持すると、肘掛け６の突出部分がなくなり、浴室用折り畳み椅子１を略偏平に折り畳むことができる。（図８（ｂ）参照）。したがって、小さな格納スペースに収納することができる。
【００４１】
【発明の効果】
以上のように、本発明の浴室用折り畳み椅子によれば、安定して体を支えることができるとともに、コンパクトに折り畳むことができる。
【図面の簡単な説明】
【図１】本発明の浴室用折り畳み椅子を示す斜視図である。
【図２】図１の浴室用折り畳み椅子を示す側面図である。
【図３】図１の浴室用折り畳み椅子を示す底面図である。
【図４】本発明の浴室用折り畳み椅子の座部を示す分解斜視図である。
【図５】本発明の浴室用折り畳み椅子の背もたれを示す分解斜視図である。
【図６】本発明の浴室用折り畳み椅子の肘掛けの前脚、後脚および肘掛けの関係を一部省略して示す分解斜視図である。
【図７】肘掛けのガイド溝を示す部分拡大図である。
【図８】本発明の浴室用折り畳み椅子を折り畳む過程を示す側面図である。
【符号の説明】
１    浴室用折り畳み椅子
２    前脚
３    後脚
４    座部
５    背もたれ
６    肘掛け
【図１】
2004261328.tif 000003
【図２】
2004261328.tif 000004
【図３】
2004261328.tif 000005
【図４】
2004261328.tif 000006
【図５】
2004261328.tif 000007
【図６】
2004261328.tif 000008
【図７】
2004261328.tif 000009
【図８】
2004261328.tif 000010